(57)【要約】【課題】可動部と装置本体との間に隙間が生じることなく可動部の傾斜角度の調整を行うことができる端末装置を提供する。【解決手段】端末装置は、筐体（装置本体）の上部に設置される上面部と、上面部に隣接して筐体の上部に配置され、筐体の幅方向に延在する前端部を中心として筐体に対して回動可能に設置された表示部（可動部）と、表示部の傾斜角度を調整する角度調整部と、を備える。角度調整部は、表示部に設置される突起部と、筐体に設けられ突起部を係合するガイド溝と、表示部の背面と筐体とを連結するトルクステーと、を有し、ガイド溝は、表示部の前端部のうち上面側のエッジを中心とする円弧状に形成される。【選択図】図８
2019054475.tif 000002
【特許請求の範囲】
【請求項１】
装置本体の上部に設置される上面部と、
前記上面部に隣接して前記装置本体の上部に配置され、前記装置本体の幅方向に延在する前端部を中心として前記装置本体に対して回動可能に設置された可動部と、
前記可動部の傾斜角度を調整する角度調整部と、を備え、
前記角度調整部は、
前記可動部に設置される突起部と、
前記装置本体に設けられ前記突起部を係合するガイド溝と、
前記可動部の背面と前記装置本体とを連結するトルクステーと、
を有し、
前記ガイド溝は、前記可動部の前端部のうち上面側のエッジを中心とする円弧状に形成される、
端末装置。
【請求項２】
前記角度調整部は、
前記突起部と回動可能に連結されるストッパ部と、
前記ストッパ部を受けるストッパ受け部と、
を有し、
前記ストッパ受け部は、前記可動部が最大傾斜角度まで起こされたときに、前記ストッパ部と接触して移動を規制するよう設けられる、
請求項１に記載の端末装置。
【請求項３】
前記角度調整部は、
前記可動部の回動方向に沿って前記可動部の背面に設けられるガイド面と、
前記装置本体に設けられ、前記可動部の回動に応じて前記ガイド面との接触状態を維持して前記ガイド面を移動させるガイド受け部と、
を有する、
請求項１または２に記載の端末装置。
【請求項４】
前記角度調整部は、
前記突起部と前記装置本体との間に連結され、前記突起部に前記可動部を引き起こす方向に引っ張る復元力を与える弾性部材を有する、
請求項１〜３のいずれか１項に記載の端末装置。
【発明の詳細な説明】
【技術分野】
【０００１】
本開示は、端末装置に関する。
【背景技術】
【０００２】
従来、端末装置の表示部の傾斜角度を調整するため、表示部の背面側と装置本体との間にトルクステーを設置する手法が提案されている（例えば特許文献１）。トルクステーは、例えば二本の連結ロッドと、その間に設けられるヒンジアセンブリとを含み、各連結ロッドの一端がそれぞれ表示部の背面と装置本体とに連結される。二本の連結ロッドのなす角度を調整して、ヒンジアセンブリの有する摩擦抵抗を利用してこの角度を保持することにより、表示部の傾斜角度を調整する。
【先行技術文献】
【特許文献】
【０００３】
【特許文献１】特表２００８−５１５２５１号明細書
【発明の概要】
【発明が解決しようとする課題】
【０００４】
しかし、従来のトルクステーを備える構成では、表示部(可動部)の回転中心が表示部下端の背面側に設けられるため、表示部の傾斜角度が大きくなると表示部と装置本体との間に隙間ができ、装置の見映えが良好ではない場合があった。
【０００５】
本開示は、上記に鑑みてなされたものであって、可動部と装置本体との間に隙間が生じることなく可動部の傾斜角度の調整を行うことができる端末装置を提供することを目的とする。
【課題を解決するための手段】
【０００６】
本発明の実施形態の一観点に係る端末装置は、装置本体の上部に設置される上面部と、前記上面部に隣接して前記装置本体の上部に配置され、前記装置本体の幅方向に延在する前端部を中心として前記装置本体に対して回動可能に設置される可動部と、前記可動部の傾斜角度を調整する角度調整部と、を備え、前記角度調整部は、前記可動部に設置される突起部と、前記装置本体に設けられ前記突起部を係合するガイド溝と、前記可動部の背面と前記装置本体とを連結するトルクステーと、を有し、前記ガイド溝は、前記可動部の前端部のうち上面側のエッジを中心とする円弧状に形成される。
【発明の効果】
【０００７】
本開示によれば、可動部と装置本体との間に隙間が生じることなく可動部の傾斜角度の調整を行うことができる端末装置を提供することができる。
【図面の簡単な説明】
【０００８】
【図１】実施形態に係る端末装置の構成の一例を示す斜視図
【図２】図１に示す端末装置の前面側から見た分解斜視図
【図３】図１に示す端末装置の背面側から見た分解斜視図
【図４】カバーを外した状態の端末装置を背面側から視た斜視図
【図５】角度調整部の構成を示す斜視図
【図６】表示部が倒された状態を示す端末装置の側面図
【図７】表示部が中途位置まで引き起こされた状態を示す端末装置の側面図
【図８】表示部が最大角度位置まで引き起こされた状態を示す端末装置の側面図
【発明を実施するための形態】
【０００９】
以下、添付図面を参照しながら実施形態について説明する。説明の理解を容易にするため、各図面において同一の構成要素に対しては可能な限り同一の符号を付して、重複する説明は省略する。
【００１０】
まず図１〜図５を参照して本実施形態に係る端末装置１の構成について説明する。図１は、実施形態に係る端末装置１の構成の一例を示す斜視図である。図２は、図１に示す端末装置１の前面側から見た分解斜視図である。図３は、図１に示す端末装置１の背面側から見た分解斜視図である。図４は、カバー２１を外した状態の端末装置１を背面側から視た斜視図である。図５は、角度調整部５の構成を示す斜視図である。
【００１１】
なお、図１〜図５などにおいて、Ｘ方向、Ｙ方向、Ｚ方向は互いに垂直な方向である。Ｘ方向及びＹ方向は水平方向、Ｚ方向は鉛直方向である。Ｘ方向は、本実施形態に係る端末装置１の前後方向であり、Ｙ方向は端末装置１の幅方向である。
【００１２】
本実施形態に係る端末装置１は、操作者による操作入力の受付と、操作者への情報の提示とを行う入出力装置である。図１〜図５に示すように、端末装置１は、筐体２（装置本体）と、表示部４（可動部）と、角度調整部５とを備える。
【００１３】
筐体２は、上方に開口する箱状の部材である。筐体２は、上部に設置される上面部３と、カバー２１と、このカバー２１に内蔵される本体２２とを有する。カバー２１は、表示部４を上部の開口に取り付ける。本体２２には、表示部４及び角度調整部５が取り付けられる。
【００１４】
上面部３は、筐体２の前部かつ上部に設置され、上面を有する。上面部３には、例えば複数の操作用ボタン等を含む操作盤が設けられる。
【００１５】
表示部４は、上面部３の後側に隣接して筐体２の上部に配置されている。表示部４は、前端部の上面側のエッジ４Ａを、幅方向に延在する回転軸として筐体２に対して回動可能な状態で取り付けられている。表示部４は、端末装置１の操作者に情報を提示する表示画面４１を有する。表示画面４１は例えばＬＣＤ（Ｌｉｑｕｉｄ   Ｃｒｙｓｔａｌ  Ｄｉｓｐｌａｙ）である。
【００１６】
なお、本実施形態では、上面部３に操作入力部を設け、表示部４に表示画面４１を設ける構成としているが、この構成に限られない。例えば、表示部４に操作ボタン等を搭載する構成や、表示画面４１をタッチパネルにして画面上に操作ボタン等を表示する構成でもよい。
【００１７】
角度調整部５は、表示部４の傾斜角度を調整する。角度調整部５は、表示部４に設置される突起部５１と、本体２２に設けられ突起部５１を係合するガイド溝５２と、表示部４の背面と本体２２とを連結するトルクステー５３と、を有する。
【００１８】
突起部５１は、より詳細には、表示部４の前端側の背面に設けられる基部４２の幅方向両側に突出する一対の突起部５１，５１である。基部４２は、表示部４の背面から突き出して設けられる立設部４２Ａと、立設部４２Ａの先端から背面と平行に前方に延びる平行部４２Ｂとを有する。基部４２のＹ軸方向断面は略Ｌ字状である。基部４２の幅方向長さは、表示部４の幅方向長さより短く形成されている。一対の突起部５１，５１は、基部４２の平行部４２Ｂの幅方向両側に設けられる。
【００１９】
ガイド溝５２は、より詳細には、本体２２の幅方向両端から鉛直方向に立てて設けられる側壁２２Ａに設けられ、一対の突起部５１，５１のそれぞれを係止する一対のガイド溝５２，５２である。一対のガイド溝５２，５２は、表示部４のエッジ４Ａ（図６〜図８の点Ｏ）を中心とする円弧状に形成される。
【００２０】
トルクステー５３は、二本のアーム５３Ａ，５３Ｂと、ヒンジアセンブリ５３Ｃと、を有する。アーム５３Ａの一端は回動自在に表示部４の背面部に連結され、他端はヒンジアセンブリ５３Ｃに連結されている。アーム５３Ｂの一端は回動自在に本体２２に連結され、他端はヒンジアセンブリ５３Ｃに連結されている。ヒンジアセンブリ５３Ｃは摩擦抵抗を有している。ヒンジアセンブリ５３Ｃは、例えばボルト、ワッシャー、弾性ワッシャー、ナット等を含み、これらの部材間の摩擦力によって摩擦抵抗が形成される。トルクステー５３は、ヒンジアセンブリ５３Ｃの摩擦抵抗によりアーム５３Ａとアーム５３Ｂとのなす角度を維持する。
【００２１】
また、角度調整部５は、突起部５１と回動可能に連結されるストッパ部５４と、ストッパ部５４を受けるストッパ受け部５５と、を有する。
【００２２】
ストッパ受け部５５は、表示部４が最大傾斜角度まで起こされたときに、ストッパ部５４と接触して移動を規制するよう設けられる。具体的には、ストッパ受け部５５は、本体２２の前後方向の中間位置にて、幅方向に沿って上方に立設される内壁である。ストッパ受け部５５は、本体２２の幅方向両側の側壁２２Ａ，２２Ａと接続されている。ストッパ部５４は、本体２２のうちストッパ受け部５５によって区分された前方部分に配置される。ストッパ部５４の前後方向長さは、この部分の前後方向長さより短く形成されており、本体２２の前方端部とストッパ受け部５５との間を前後方向に移動自在とされている。
【００２３】
ストッパ部５４は、後端にストッパ受け部５５と対向する後端面５４Ａと、幅方向の外側に側壁５４Ｂとを有する。側壁５４Ｂは、本体２２の側壁２２Ａと、表示部４の基部４２との間に配置され、基部４２の平行部４２Ｂから幅方向外側に突き出る突起部５１は、ストッパ部５４の側壁５４Ｂを貫通して、本体２２の側壁２２Ａのガイド溝５２に係合している。これにより、ストッパ部５４は突起部５１に対して回動自在に連結されている。
【００２４】
また、角度調整部５は、表示部４の回動方向に沿って表示部４の背面に設けられるガイド面５６と、本体２２に設けられ、表示部４の回動に応じてガイド面５６との接触状態を維持してガイド面５６を移動させるガイド受け部５７と、を有する。
【００２５】
さらに、角度調整部５は、突起部５１と本体２２との間に連結され、突起部５１に表示部４を引き起こす方向に引っ張る復元力ｆを与える弾性部材５８を有する。弾性部材５８は例えばバネである。弾性部材５８は、例えば図４及び図５に示すように、本体２２の側壁２２Ａの外側に設置される。
【００２６】
次に図６〜図８を参照して、本実施形態に係る端末装置１の動作について説明する。図６は、表示部４が倒された状態を示す端末装置１の側面図である。図７は、表示部４が中途位置まで引き起こされた状態を示す端末装置１の側面図である。図８は、表示部４が最大角度位置まで引き起こされた状態を示す端末装置１の側面図である。
【００２７】
図６に示す表示部４が倒された状態のとき、表示部４はカバー２１の開口に沿って配置されている。また、表示部４の前端部は、上面部３の後端部と接触している。表示部４のエッジ４Ａが上面部３と接触しており、上面部３と表示部４との間に隙間が無い。この状態のとき、突起部５１は、ガイド溝５２の前端に位置し、ストッパ部５４も前後方向の移動可能範囲のうち前端に位置している。ガイド受け部５７は、ガイド面５６の上端と接触している。トルクステー５３の二本のアーム５３Ａ，５３Ｂがヒンジアセンブリ５３Ｃにおいてなす角度は最小角度となっている。トルクステー５３は、ヒンジアセンブリ５３Ｃが有する摩擦抵抗によりこの角度を保持している。
【００２８】
図６の状態から、ヒンジアセンブリ５３Ｃの摩擦抵抗より大きい外力Ｆが表示部４を起こす方向に加わると、図７に示すように、トルクステー５３の二本のアーム５３Ａ，５３Ｂが開き、表示部４が引き起こされ始める。このとき、突起部５１は、ガイド溝５２に沿って、表示部４のエッジ４Ａを支点Ｏとする円弧軌道を後方側へ移動する。突起部５１の移動に伴いストッパ部５４も前端から後方へ移動する。突起部５１には弾性部材５８によって、突起部５１を後方に引っ張る方向の復元力ｆが付加されているので、突起部５１がガイド溝５２に沿って移動することが促進される。ガイド受け部５７はガイド面５６の上端から下側へ移動する。ガイド受け部５７がｘ負方向側からガイド面５６と接触することによって、表示部４がガイド溝５２の接線方向へ移動することを防止できる。これらの各要素の動作の結果、表示部４は、エッジ４Ａと上面部３との間に隙間が無い状態を維持したまま、支点Ｏを中心として回動する。
【００２９】
なお、図７に示すような中途位置において、表示部４の引き起こし動作を止め、外力Ｆが無くなると、トルクステー５３は、ヒンジアセンブリ５３Ｃが有する摩擦抵抗によりこのときの角度を保持できる。これにより、表示部４は、図６に示す倒された状態と、図８に示す最大角度位置との間の任意の傾斜角度で姿勢を保持することができる。
【００３０】
そして図８に示すように、表示部４が最大角度位置まで引き起こされると、ストッパ部５４はストッパ受け部５５に突き当たるため、ストッパ部５４と連動する突起部５１はこれ以上ガイド溝５２に沿って後方側に移動できないよう規制される。ガイド受け部５７は、ガイド面５６の下端まで移動する。
【００３１】
図８に示す表示部４が最大角度位置まで引き起こされた状態から、表示部４を倒す方向に操作するとき、本体２２に設けられたガイド受け部５７は、表示部４に設けられたガイド面５６の下端から上側へ移動する。これにより、表示部４はガイド面５６の形状により規定される軌道に沿って回動する。つまり、上記の引き起こし動作と同様に、倒し動作の場合も、表示部４は、エッジ４Ａと上面部３との間に隙間が無い状態を維持したまま、支点Ｏを中心として回動する。
【００３２】
このように、本実施形態に係る端末装置１は、角度調整部５のガイド溝５２を表示部４のエッジ４Ａを中心とする円弧状に形成することにより、表示部４を筐体２に対して引き起こす、または、倒す場合に、エッジ４Ａを回転中心として表示部４を回動させることができる。これにより、表示部４のエッジ４Ａと、上面部３との間に隙間が無い状態を維持したまま、表示部４を回動させることが可能となる。このように、表示部４の傾斜角度によらず、上面部３との間に隙間が生じて見映えが良好でなくなることを防ぐことができる。この結果、端末装置１は、表示部４と筐体２との間に隙間が生じることなく、表示部４に設けられる表示画面４１の傾斜角度の調整を行うことができる。なお、表示部４の回転中心であるエッジ４Ａには、ヒンジなどの要素を直接取り付ける必要がないので、例えば表示画面４１を前端部まで拡張するなど、表示画面４１の配置の自由度を増すことができる。
【００３３】
また、本実施形態に係る端末装置１は、角度調整部５のストッパ受け部５５を、表示部４が最大傾斜角度まで引き起こされたとき（図８参照）に、ストッパ部５４と接触して移動を規制するよう設けることにより、ストッパ部５４と連結される突起部５１の移動も規制して、表示部４が最大傾斜角度以上に起こされることを防止できる。
【００３４】
また、本実施形態に係る端末装置１は、角度調整部５のガイド面５６が表示部４の回動方向に沿って表示部４の背面に設けられ、ガイド受け部５７が、表示部４の回動に応じてガイド面５６との接触状態を維持してガイド面５６を移動させるよう本体２２に設けられる。弾性部材５８によりガイド面５６とガイド受け部５７とが互いに接近する方向に付勢されることによって、ガイド面５６とガイド受け部５７との接触状態が維持されている。これにより、特に表示部４を倒す動作の際に、表示部４のエッジ４Ａが上面部３から離れることを防止できる。また、倒し動作の際にも引き起こし動作と同様に、表示部４のエッジ４Ａと上面部３との間に隙間が無い状態を維持したまま、表示部４を支点Ｏを中心として回動させることができる。したがって、表示部４の傾斜角度によらず、上面部３との間に隙間が生じて見映えが良好でなくなることをより一層確実に防ぐことができる。
【００３５】
また、本実施形態に係る端末装置１は、弾性部材５８を、突起部５１に表示部４を引き起こす方向に引っ張る復元力ｆを与えるよう、突起部５１と本体２２との間に連結することにより、表示部４の引き起こし動作の際に突起部５１がガイド溝５２に沿って移動することを復元力ｆにより促進でき、引き起こし動作をより一層スムーズに行うことができる。
【００３６】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【００３７】
上記実施形態では、本体２２がカバー２１と別部品である構成を例示したが、本体２２とカバー２１とを一部品で一体的に構成してもよい。上面部３に操作ボタン等の操作入力部を設ける構成を例示したが、上面部３に操作入力部を設けず、表示部４など他の場所に設ける構成でもよく、上面部３に表示部を設ける構成でもよい。
【符号の説明】
【００３８】
１    端末装置
２    筐体（装置本体）
３    上面部
４    表示部（可動部）
４１    表示画面
５    角度調整部
５１    突起部
５２    ガイド溝
５３    トルクステー
５４    ストッパ部
５５    ストッパ受け部
５６    ガイド面
５７    ガイド受け部
５８    弾性部材
【図１】
2019054475.tif 000003
【図２】
2019054475.tif 000004
【図３】
2019054475.tif 000005
【図４】
2019054475.tif 000006
【図５】
2019054475.tif 000007
【図６】
2019054475.tif 000008
【図７】
2019054475.tif 000009
【図８】
2019054475.tif 000010